【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
光ビームを射出する光源と、ａｒｃ−ｓｉｎ特性を持つ走査光学系と、前記光源から射出される光ビームを正弦振動する偏向ミラー面により偏向することによって該偏向光ビームを前記走査光学系を介して被走査面の有効走査領域に対応する第１走査範囲よりも広い第２走査範囲で主走査方向に往復走査する偏向器と、前記第１走査範囲を外れた位置を移動する光ビームを検知して検知信号を出力する単一のセンサとを備えた光走査装置において、所定の周波数のビデオクロックに同期して画像信号を前記光源に入力することで該画像信号に対応して変調された光ビームを前記光源から射出して該変調光ビームを前記被走査面の前記有効走査領域に走査し、該有効走査領域の前記画像信号に対応した位置に光ビームをスポット状に照射する光走査動作を前記光走査装置に実行させる前記光走査装置の制御方法であって、
前記第１走査範囲から離れる方向に走査される光ビームが前記センサに検知されて第１検知信号が出力された第１時刻から、前記第１走査範囲に近づく方向に走査される光ビームが前記センサに検知されて第２検知信号が出力された第２時刻までのインターバル時間を計測して、次式、
Ｖ1／Ｖ0＝（α−ＴＡ）／（α−（ＴＡ＋ΔＴＡ））
ＴＡ…光ビームの走査速度変動前の前記インターバル時間、
ΔＴＡ…光ビームの走査速度変動後の前記インターバル時間と光ビームの走査速度変動前の前記インターバル時間との差分、
α…前記走査光学系の光軸に対して前記センサと対称な位置を前記第１走査範囲から離れる方向に走査される光ビームが通過する第３時刻と前記第１時刻との時間間隔、
に基づいて、光ビームの走査速度の変動を示す値Ｖ1／Ｖ0を求める速度変動検出工程と、
次式、
ｆvc1＝ｆvc0×Ｖ1／Ｖ0
ｆvc0…光ビームの走査速度変動前の前記ビデオクロックの周波数、
から求められる周波数ｆvc1に基づいて、光ビームの走査速度変動後の前記ビデオクロックの周波数を調整する周波数調整工程とを備えることを特徴とする光走査装置の制御方法。
【請求項２】
前記周波数調整工程では、前記周波数ｆvc1を、前記光ビームの走査速度変動後の前記ビデオクロックの周波数とする請求項１に記載の光走査装置の制御方法。
【請求項３】
前記周波数調整工程では、基準クロックの周波数をＰＷＭ回路により逓倍したクロックから前記ビデオクロックが生成され、光ビームの速度変動前の前記ビデオクロックの周波数ｆvc0に対応する周期１／ｆvc0と前記周波数ｆvc1に対応する周期１／ｆvc1との周期差が前記ＰＷＭ回路による逓倍後のクロックの周期よりも短い場合は、光ビームの走査速度変動後の前記ビデオクロックの複数のパルスが１ユニットとされるとともに当該１ユニットのうち一部のパルスのみの周期が前記ＰＷＭ回路により変更されることで、当該１ユニットでの前記ビデオクロックのパルスの平均周期が前記周波数ｆvc1となるように前記ビデオクロックが調整される請求項１に記載の光走査装置の制御方法。
【請求項４】
光ビームを射出する光源と、ａｒｃ−ｓｉｎ特性を持つ走査光学系と、前記光源から射出される光ビームを正弦振動する偏向ミラー面により偏向することによって該偏向光ビームを前記走査光学系を介して被走査面の有効走査領域に対応する第１走査範囲よりも広い第２走査範囲で主走査方向に往復走査する偏向器と、前記第１走査範囲を外れた位置を移動する光ビームを検知して検知信号を出力する単一のセンサとを備え、所定の周波数のビデオクロックに同期して画像信号を前記光源に入力することで該画像信号に対応して変調された光ビームを前記光源から射出して該変調光ビームを前記被走査面の前記有効走査領域に走査し、該有効走査領域の前記画像信号に対応した位置に光ビームをスポット状に照射する光走査動作を実行する光走査装置であって、
前記第１走査範囲から離れる方向に走査される光ビームが前記センサに検知されて第１検知信号が出力された第１時刻から、前記第１走査範囲に近づく方向に走査される光ビームが前記センサに検知されて第２検知信号が出力された第２時刻までのインターバル時間を計測して、次式、
Ｖ1／Ｖ0＝（α−ＴＡ）／（α−（ＴＡ＋ΔＴＡ））
ＴＡ…光ビームの走査速度変動前の前記インターバル時間、
ΔＴＡ…光ビームの走査速度変動後の前記インターバル時間と光ビームの走査速度変動前の前記インターバル時間との差分、
α…前記走査光学系の光軸に対して前記センサと対称な位置を前記第１走査範囲から離れる方向に走査される光ビームが通過する第３時刻と前記第１時刻との時間間隔、
に基づいて、光ビームの走査速度の変動を示す値Ｖ1／Ｖ0を求める速度変動検出手段と、
次式、
ｆvc1＝ｆvc0×Ｖ1／Ｖ0
ｆvc0…光ビームの走査速度変動前の前記ビデオクロックの周波数、
から求められる周波数ｆvc1に基づいて、光ビームの走査速度変動後の前記ビデオクロックの周波数を調整する周波数調整手段とを備えることを特徴とする光走査装置。
【手続補正２】
【補正対象書類名】明細書
【補正対象項目名】０００８
【補正方法】変更
【補正の内容】
【０００８】
本発明にかかる光走査装置の制御方法は、光ビームを射出する光源と、ａｒｃ−ｓｉｎ特性を持つ走査光学系と、光源から射出される光ビームを正弦振動する偏向ミラー面により偏向することによって該偏向光ビームを走査光学系を介して被走査面の有効走査領域に対応する第１走査範囲よりも広い第２走査範囲で主走査方向に往復走査する偏向器と、第１走査範囲を外れた位置を移動する光ビームを検知して検知信号を出力する単一のセンサとを備えた光走査装置において、所定の周波数のビデオクロックに同期して画像信号を光源に入力することで該画像信号に対応して変調された光ビームを光源から射出して該変調光ビームを被走査面の有効走査領域に走査し、該有効走査領域の画像信号に対応した位置に光ビームをスポット状に照射する光走査動作を光走査装置に実行させる光走査装置の制御方法であって、第１走査範囲から離れる方向に走査される光ビームがセンサに検知されて第１検知信号が出力された第１時刻から、第１走査範囲に近づく方向に走査される光ビームがセンサに検知されて第２検知信号が出力された第２時刻までのインターバル時間を計測して、次式、
Ｖ1／Ｖ0＝（α−ＴＡ）／（α−（ＴＡ＋ΔＴＡ））
ＴＡ…光ビームの走査速度変動前のインターバル時間、
ΔＴＡ…光ビームの走査速度変動後のインターバル時間と光ビームの走査速度変動前のインターバル時間との差分、
α…走査光学系の光軸に対してセンサと対称な位置を第１走査範囲から離れる方向に走査される光ビームが通過する第３時刻と第１時刻との時間間隔、
に基づいて、光ビームの走査速度の変動を示す値Ｖ1／Ｖ0を求める速度変動検出工程と、
次式、
ｆvc1＝ｆvc0×Ｖ1／Ｖ0
ｆvc0…光ビームの走査速度変動前のビデオクロックの周波数、
から求められる周波数ｆvc1に基づいて、光ビームの走査速度変動後のビデオクロックの周波数を調整する周波数調整工程とを備えることを特徴としている。
【手続補正３】
【補正対象書類名】明細書
【補正対象項目名】０００９
【補正方法】変更
【補正の内容】
【０００９】
また、本発明にかかる光走査装置は、光ビームを射出する光源と、ａｒｃ−ｓｉｎ特性を持つ走査光学系と、光源から射出される光ビームを正弦振動する偏向ミラー面により偏向することによって該偏向光ビームを走査光学系を介して被走査面の有効走査領域に対応する第１走査範囲よりも広い第２走査範囲で主走査方向に往復走査する偏向器と、第１走査範囲を外れた位置を移動する光ビームを検知して検知信号を出力する単一のセンサとを備え、所定の周波数のビデオクロックに同期して画像信号を光源に入力することで該画像信号に対応して変調された光ビームを光源から射出して該変調光ビームを被走査面の有効走査領域に走査し、該有効走査領域の画像信号に対応した位置に光ビームをスポット状に照射する光走査動作を実行する光走査装置であって、第１走査範囲から離れる方向に走査される光ビームがセンサに検知されて第１検知信号が出力された第１時刻から、第１走査範囲に近づく方向に走査される光ビームがセンサに検知されて第２検知信号が出力された第２時刻までのインターバル時間を計測して、次式、
Ｖ1／Ｖ0＝（α−ＴＡ）／（α−（ＴＡ＋ΔＴＡ））
ＴＡ…光ビームの走査速度変動前のインターバル時間、
ΔＴＡ…光ビームの走査速度変動後のインターバル時間と光ビームの走査速度変動前のインターバル時間との差分、
α…走査光学系の光軸に対してセンサと対称な位置を第１走査範囲から離れる方向に走査される光ビームが通過する第３時刻と第１時刻との時間間隔、
に基づいて、光ビームの走査速度の変動を示す値Ｖ1／Ｖ0を求める速度変動検出手段と、
次式、
ｆvc1＝ｆvc0×Ｖ1／Ｖ0
ｆvc0…光ビームの走査速度変動前のビデオクロックの周波数、
から求められる周波数ｆvc1に基づいて、光ビームの走査速度変動後のビデオクロックの周波数を調整する周波数調整手段とを備えることを特徴としている。
【手続補正４】
【補正対象書類名】明細書
【補正対象項目名】００１２
【補正方法】変更
【補正の内容】
【００１２】
ここで、周波数調整工程では、周波数ｆvc1を、光ビームの走査速度変動後のビデオクロックの周波数とするように構成しても良い。
【手続補正５】
【補正対象書類名】明細書
【補正対象項目名】００１３
【補正方法】変更
【補正の内容】
【００１３】
あるいは、周波数調整工程では、基準クロックの周波数をＰＷＭ回路により逓倍したクロックからビデオクロックが生成され、光ビームの速度変動前のビデオクロックの周波数ｆvc0に対応する周期１／ｆvc0と周波数ｆvc1に対応する周期１／ｆvc1との周期差がＰＷＭ回路による逓倍後のクロックの周期よりも短い場合は、光ビームの走査速度変動後のビデオクロックの複数のパルスが１ユニットとされるとともに当該１ユニットのうち一部のパルスのみの周期がＰＷＭ回路により変更されることで、当該１ユニットでのビデオクロックのパルスの平均周期が周波数ｆvc1となるようにビデオクロックが調整されるように構成しても良い。